【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
アレイアンテナであって、以下を有する、
それぞれが信号を送信及び受信するように構成されている複数のアンテナパネル、
各アレイ制御部材が、少なくとも１つのアンテナパネル、又は、スイッチを介して前記複数のアンテナパネルのいずれか１つに接続するように構成され、更に、前記送信された信号及び前記受信された信号を処理するように構成されている単数又は複数のアレイ制御部材、そして
前記単数又は複数のアレイ制御部材と通信するように構成されたアンテナルーティング部材、ここで、前記アンテナルーティング部材は、更に、前記受信された信号に基づき生成されるパケットをルーティングし、送信されるべきパケットを転送するように構成されている。
【請求項２】
請求項１のアレイアンテナであって、前記複数のアンテナパネルは、六角形状に配置されている。
【請求項３】
請求項１のアレイアンテナを内蔵する固定無線ユニット。
【請求項４】
請求項１のアレイアンテナであって、前記複数のアンテナパネルのうちの二つ以上は、各信号を送信するために同時に使用可能である。
【請求項５】
請求項１のアレイアンテナであって、前記アレイ制御部材の少なくとも１つは以下を有する、
アンテナパネルに接続されたスイッチ、
前記スイッチに接続されて前記アンテナパネルから前記受信された信号を受信し、出力を生成する低ノイズ増幅器、
前記低ノイズ増幅器からの前記出力を受けて第１出力と第２出力とを生成するように構成されたＩ／Ｑダウンコンバータ、
前記Ｉ／Ｑダウンコンバータから前記第１及び第２出力を受けて、受信パケットを生成するように構成された復調装置、
送信するべきパケットを受けて、この送信されるべきパケットに基づいて第１出力及び第２出力を生成するように構成された変調装置、
前記変調装置から前記第１及び第２出力を受けて出力を生成するように構成されたＩ／Ｑアップコンバータ、そして
前記Ｉ／Ｑコンバータから前記出力を受けて出力を生成するように構成された出力増幅器、該出力増幅器は、更に、前記スイッチに接続されてその出力を送信のために前記アンテナパネルに転送するように構成されている、
ここで、前記スイッチは、ロジックによって制御されて、信号が受信されるものであるか、もしくは送信されるものであるのかに応じて、前記アンテナパネルを前記低ノイズ増幅器又は前記出力増幅器のいずれかに接続する。
【請求項６】
請求項５のアレイアンテナであって、前記アンテナルーティング部材は、更に、前記送信されるべきパケットを生成し、これをその送信のために前記単数又は複数のアレイ制御部材に転送するように構成され、
ここで、前記アンテナルーティング部材は、更に、ルーティング情報を有するルーティングテーブルを有し、そして
前記アンテナルーティング部材は、更に、前記受信パケットを前記少なくとも１つのアレイ制御部材から受取り、前記ルーティングテーブル内のルーティング情報に基づいて、前記受信パケットを転送するように構成されている。
【請求項７】
請求項５のアレイアンテナであって、前記受信パケットは、ヘッダ情報とペイロード情報とを有し、そして
前記ヘッダ情報は、前記受信パケットのサービス品質に関する情報を含む。
【請求項８】
請求項１に記載のアレイアンテナにおける前記単数又は複数のアレイ制御部材と前記アンテナルーティング部材とを備える集積回路。
【請求項９】
請求項１のアレイアンテナであって、前記アンテナルーティング部材は、更に、前記受信された信号に基づいて生成された前記パケットの有効性を、これらパケットが更にルーティングされる前に、チェックするように構成されている。
【請求項１０】
請求項１のアレイアンテナであって、前記単数又は複数のアレイ制御部材には、それぞれの送信優先権が割り当てられる、そして
前記アンテナルーティング部材は、更に、各パケットに関連するサービス品質基準に基づいて、送信されるべきパケットを、前記単数又は複数のアレイ制御部材に転送するように構成されている。
【請求項１１】
請求項１のアレイアンテナであって、前記アンテナルーティング部材は、更に、前記アレイアンテナが出力低下している場合には、「接続解除」メッセージを発行するように構成されている。
【請求項１２】
請求項１のアレイアンテナであって、前記アンテナルーティング部材は、更に、前記受信された信号の信号品質を判定するように構成されている。
【請求項１３】
請求項１のアレイアンテナであって、前記アンテナルーティング部材は、更に、前記受信された信号の信号強度を判定するように構成されている。
【請求項１４】
請求項１のアレイアンテナであって、前記アンテナルーティング部材は、更に、前記送信された信号及び前記受信された信号とともに使用される暗号化及び暗号解読能力を提供するように構成されている。
【請求項１５】
請求項１のアレイアンテナであって、前記アレイアンテナは、その無線ビームを二つ以上の方向に向けることが可能な無給電アンテナアレイから形成されている。
【請求項１６】
アレイアンテナを有する固定無線ユニットであって、前記アレイアンテナは以下を有する、
それぞれが信号を送信及び受信するように構成されている複数のアンテナパネル、
各アレイ制御部材が、単数又は複数のアンテナパネルに接続され、更に、前記送信された信号及び前記受信された信号を処理するように構成されている単数又は複数のアレイ制御部材、そして
前記単数又は複数のアレイ制御部材と通信するように構成されたアンテナルーティング部材、ここで、前記アンテナルーティング部材は、更に、前記受信された信号に基づき生成されるパケットをルーティングし、送信されるべきパケットを転送するように構成されている。
【請求項１７】
請求項１６の固定無線ユニットであって、前記複数のアンテナパネルは、六角形状に配置されている。
【請求項１８】
請求項１６の固定無線ユニットであって、前記単数又は複数のアレイ制御部材は、更に、スイッチを介して前記複数のアンテナパネルの１つに接続するように構成されている。
【請求項１９】
請求項１６の固定無線ユニットであって、前記複数のアンテナパネルのうちの二つ以上は、各信号を送信するために作動状態になることが可能である。
【請求項２０】
請求項１６の固定無線ユニットであって、前記アレイ制御部材の少なくとも１つは以下を有する、
アンテナパネルに接続されたスイッチ、
前記スイッチに接続されて前記アンテナパネルから前記受信された信号を受信し、出力を生成する低ノイズ増幅器、
前記低ノイズ増幅器からの前記出力を受けて第１出力と第２出力とを生成するように構成されたＩ／Ｑダウンコンバータ、
前記Ｉ／Ｑダウンコンバータから前記第１及び第２出力を受けて、受信パケットを生成するように構成された復調装置、
送信するべきパケットを受けて、この送信されるべきパケットに基づいて第１出力及び第２出力を生成するように構成された変調装置、
前記変調装置から前記第１及び第２出力を受けて出力を生成するように構成されたＩ／Ｑアップコンバータ、そして
前記Ｉ／Ｑコンバータから前記出力を受けて出力を生成するように構成された出力増幅器、該出力増幅器は、更に、前記スイッチに接続されてその出力を送信のために前記アンテナパネルに転送するように構成されている、
ここで、前記スイッチは、ロジックによって制御されて、信号が受信されるものであるか、もしくは送信されるものであるのかに応じて、前記アンテナパネルを前記低ノイズ増幅器又は前記出力増幅器のいずれかに接続する。
【請求項２１】
請求項２０の固定無線ユニットであって、前記アンテナルーティング部材は、更に、前記送信されるべきパケットを生成し、これをその送信のために前記単数又は複数のアレイ制御部材に転送するように構成され、
ここで、前記アンテナルーティング部材は、更に、ルーティング情報を有するルーティングテーブルを含み、そして
前記アンテナルーティング部材は、更に、前記受信パケットを前記少なくとも１つのアレイ制御部材から受取り、前記ルーティングテーブル内のルーティング情報に基づいて、前記受信パケットを転送するように構成されている。
【請求項２２】
請求項２０の固定無線ユニットであって、前記受信パケットは、ヘッダ情報とペイロード情報とを有し、そして
前記ヘッダ情報は、前記受信パケットのサービス品質に関する情報を含む。
【請求項２３】
請求項１６に記載の固定無線ユニットにおける前記単数又は複数のアレイ制御部材と前記アンテナルーティング部材とを備える集積回路。
【請求項２４】
請求項１６の固定無線ユニットであって、前記アンテナルーティング部材は、更に、前記受信された信号に基づいて生成された前記パケットの有効性を、これらパケットが更にルーティングされる前に、チェックするように構成されている。
【請求項２５】
請求項１６の固定無線ユニットであって、前記単数又は複数のアレイ制御部材には、それぞれの送信優先権が割り当てられる、そして
前記アンテナルーティング部材は、更に、各パケットに関連するサービス品質基準に基づいて、送信されるべきパケットを、前記単数又は複数のアレイ制御部材に転送するように構成されている。
【請求項２６】
請求項１６の固定無線ユニットであって、前記アンテナルーティング部材は、更に、前記アレイアンテナが出力低下している場合には、「接続解除」メッセージを発行するように構成されている。
【請求項２７】
請求項１６の固定無線ユニットであって、前記アンテナルーティング部材は、更に、前記受信された信号の信号品質を判定するように構成されている。
【請求項２８】
請求項１６の固定無線ユニットであって、前記アンテナルーティング部材は、更に、前記受信された信号の信号強度を判定するように構成されている。
【請求項２９】
請求項１６の固定無線ユニットであって、前記アンテナルーティング部材は、更に、前記送信された信号及び前記受信された信号とともに使用される暗号化及び暗号解読能力を提供するように構成されている。
【請求項３０】
請求項１６の固定無線ユニットであって、前記アレイアンテナは、その無線ビームを二つ以上の方向に向けることが可能な無給電アンテナアレイから形成されている。
【請求項３１】
アレイアンテナであって、以下を有する、
それぞれが信号を送信及び受信するように構成されている複数のアンテナパネル、
スイッチを介して前記複数のアンテナパネルの単数又は複数に接続するように構成され、更に、前記送信された信号及び前記受信された信号を処理するように構成されたアレイ制御部材、そして
前記アレイ制御部材と通信するように構成されたアンテナルーティング部材、ここで、前記アンテナルーティング部材は、更に、前記受信された信号に基づき生成されるパケットをルーティングし、送信されるべきパケットを転送するように構成されている。
【請求項３２】
請求項３１のアレイアンテナであって、前記複数のアンテナパネルは、六角形状に配置されている。
【請求項３３】
請求項３１のアレイアンテナを内蔵する固定無線ユニット。
【請求項３４】
請求項３１のアレイアンテナであって、前記複数のアンテナパネルのうちの二つ以上は、各信号を送信するために作動状態になることが可能である。
【請求項３５】
請求項３１のアレイアンテナであって、前記アレイ制御部材は以下を有する、
前記複数のアンテナパネルの１つに接続されたスイッチ、
前記スイッチに接続されて前記複数のアンテナパネルの１つから前記受信された信号を受信し、出力を生成する低ノイズ増幅器、
前記低ノイズ増幅器からの前記出力を受けて第１出力と第２出力とを生成するように構成されたＩ／Ｑダウンコンバータ、
前記Ｉ／Ｑダウンコンバータから前記第１及び第２出力を受けて、受信パケットを生成するように構成された復調装置、
送信するべきパケットを受けて、この送信されるべきパケットに基づいて第１出力及び第２出力を生成するように構成された変調装置、
前記変調装置から前記第１及び第２出力を受けて出力を生成するように構成されたＩ／Ｑアップコンバータ、そして
前記Ｉ／Ｑコンバータから前記出力を受けて出力を生成するように構成された出力増幅器、該出力増幅器は、更に、前記スイッチに接続されてその出力を送信のために前記複数のアンテナパネルの１つに転送するように構成されている、
ここで、前記スイッチは、ロジックによって制御されて、信号が受信されるものであるか、もしくは送信されるものであるのかに応じて、前記複数のアンテナパネルの１つを前記低ノイズ増幅器又は前記出力増幅器のいずれかに接続する。
【請求項３６】
請求項３５のアレイアンテナであって、前記アンテナルーティング部材は、更に、前記送信されるべきパケットを生成し、これをその送信のために前記アレイ制御部材に転送するように構成され、
ここで、前記アンテナルーティング部材は、更に、ルーティング情報を有するルーティングテーブルを含み、そして
前記アンテナルーティング部材は、更に、前記受信パケットを前記アレイ制御部材から受取り、前記ルーティングテーブル内のルーティング情報に基づいて、前記受信パケットを転送するように構成されている。
【請求項３７】
請求項３５のアレイアンテナであって、前記受信パケットは、ヘッダ情報とペイロード情報とを有し、そして
前記ヘッダ情報は、前記受信パケットのサービス品質に関する情報を含む。
【請求項３８】
請求項３１に記載のアレイアンテナにおける前記アレイ制御部材と前記アンテナルーティング部材とを備える集積回路。
【請求項３９】
請求項３１のアレイアンテナであって、前記アンテナルーティング部材は、更に、前記受信された信号に基づいて生成された前記パケットの有効性を、これらパケットが更にルーティングされる前に、チェックするように構成されている。
【請求項４０】
請求項３１のアレイアンテナであって、前記複数のアンテナパネルには、それぞれの送信優先権が割り当てられる、
前記アンテナルーティング部材は、更に、送信されるべき前記パケットを前記アレイ制御部材に転送するように構成され、そして
前記アレイ制御部材は、更に、各パケットに関連するサービス品質基準に基づいて、送信されるべきパケットを、前記複数のアンテナパネルに転送するように構成されている。
【請求項４１】
請求項３１のアレイアンテナであって、前記アンテナルーティング部材は、更に、前記アレイアンテナが出力低下している場合には、「接続解除」メッセージを発行するように構成されている。
【請求項４２】
請求項３１のアレイアンテナであって、前記アンテナルーティング部材は、更に、前記受信された信号の信号品質を判定するように構成されている。
【請求項４３】
請求項３１のアレイアンテナであって、前記アンテナルーティング部材は、更に、前記受信された信号の信号強度を判定するように構成されている。
【請求項４４】
請求項３１のアレイアンテナであって、前記アンテナルーティング部材は、更に、前記送信された信号及び前記受信された信号とともに使用される暗号化及び暗号解読能力を提供するように構成されている。
【請求項４５】
請求項３１のアレイアンテナであって、前記アレイアンテナは、その無線ビームを二つ以上の方向に向けることが可能な無給電アンテナアレイから形成されている。
【請求項４６】
アレイアンテナであって、以下を有する、
信号を送信及び受信するように構成されている複数のアンテナパネル、
単数又は複数のアレイ制御部材、各アレイ制御部材は、少なくとも１つのアンテナパネルに、又は、スイッチを介して前記複数のアンテナパネルのいずれか１つのパネルに、接続するように構成され、更に、前記送信及び受信信号を処理するように構成されている、そして
前記複数のアンテナパネルのうちの単数又は複数のアンテナパネルによってワイヤレスソーストランスミッタから受信された信号に含まれる単数又は複数のパケット内に含まれる情報を使用して、複数の可能なワイヤレス目的地レシーバから、１つのワイヤレス目的地レシーバの目的地アドレスを決定し、その決定されたワイヤレス目的地レシーバへ送信されるべきパケットを生成し、そして、これらの生成されたパケットを前記単数又は複数のアレイ制御部材の少なくとも１つにルーティングするように構成されたアンテナルーティング部材。
【請求項４７】
請求項４６のアレイアンテナであって、前記アンテナルーティング部材は、前記決定された目的地アドレスへのルートデータを含むルーティングテーブルキャッシュを含むメモリを有する。
【請求項４８】
請求項４７のアレイアンテナであって、前記メモリは、前記ワイヤレスソーストランスミッタから受信された信号に含まれる前記単数又は複数のパケットに含まれる前記情報によってインデックス可能なコンテンツアドレス可能メモリ（ＣＡＭ）を含む。
【請求項４９】
請求項４７のアレイアンテナであって、前記メモリは、更に、前記複数のアンテナパネルから前記ワイヤレスソーストランスミッタへの方向を特徴付ける情報を有する。
【請求項５０】
請求項４６のアレイアンテナであって、前記アンテナルーティング部材は、更に、前記アレイアンテナが形成されているワイヤレスネットワークを特徴付けるサービス品質（ＱｏＳ）パラメータに基づいて複数の可能なワイヤレス目的地レシーバから１つのワイヤレス目的地レシーバの目的地アドレスを決定するように構成されている。
【請求項５１】
請求項５０のアレイアンテナであって、前記ＱｏＳパラメータは、前記ワイヤレスネットワークにおけるワイヤレスリンクのリンク品質、前記複数の目的地レシーバの１つの目的地レシーバへのホップの数、前記アレイアンテナによって送信されるデータのタイプ、前記アレイアンテナから要求されるデータのタイプ、前記ワイヤレスネットワークにおけるトラフィック負荷状態、前記アレイアンテナの渋滞レベル、及び前記アレイアンテナからデータを要求するアプリケーションのタイプから成るグループから選択される単数又は複数のパラメータである。
【請求項５２】
請求項５０のアレイアンテナであって、更に、前記ＱｏＳパラメータに基づいて、前記複数のアンテナパネルから、前記生成パケットを送信するアンテナパネルを選択するための手段を有する。
【請求項５３】
請求項４６のアレイアンテナであって、更に、前記生成パケットに、サービス品質（ＱｏＳ）情報を挿入するように構成された制御インターフェースを有し、前記ＱｏＳ情報は、前記アレイアンテナが形成されているワイヤレスネットワークにおける通信の作動能力又は優先順位を特徴付ける。
【請求項５４】
請求項４６のアレイアンテナであって、更に、前記アレイアンテナの位置を決定するための手段を有する。
【請求項５５】
請求項５４のアレイアンテナであって、前記決定された位置は、前記アレイアンテナが形成されているネットワークにおける単数又は複数のワイヤレストランスミッタおよび／又はレシーバに対する位置を含む。
【請求項５６】
請求項４６のアレイアンテナであって、前記複数のアンテナパネルは、ＴＤＤ（時分割複信）通信ネットワークにおいてパケット-スイッチト信号を送信及び受信するように構成されている。
【請求項５７】
請求項４６のアレイアンテナであって、前記複数のアンテナパネルは、搬送波感知多重アクセス（ＣＳＭＡ）ネットワークにおいてパケット-スイッチト信号を送信及び受信するように構成されている。
【請求項５８】
請求項４６のアレイアンテナであって、前記複数のアンテナパネルは、ポリゴン状に配置されている。
【請求項５９】
ワイヤレストランシーバであって以下を有する、
複数のアンテナパネルを備えるアンテナアレイ、
遠隔ワイヤレストランスミッタから前記アンテナアレイによって受信される第１キャリア信号からソースパケットを受け取るように構成されるとともに、遠隔ワイヤレスレシーバへ前記アンテナアレイによって送信される第２キャリア信号によって送信される目的地パケットを生成するように構成されたルータ部材、そして
前記第２キャリア信号を、前記複数のアンテナパネルのうちの単数又は複数のパネルに選択的に接続するように構成された単数又は複数のアンテナ制御部材、ここで、前記複数のアンテナパネルのうちのどの単数又は複数のパネルが選択されるかは、前記ソースパケットに含まれる情報に依存する。
【請求項６０】
請求項５９のワイヤレストランシーバであって、前記ルータ部材は、それから前記遠隔ワイヤレスレシーバの目的地アドレスが得られるメモリを含む。
【請求項６１】
請求項６０のワイヤレストランシーバであって、前記メモリは、前記目的地アドレスを提供するべく前記ソースパケット内に含まれる前記情報を使用するように構成されたコンテンツアドレス可能メモリ（ＣＡＭ）を含む。
【請求項６２】
請求項５９のワイヤレストランシーバであって、前記複数のアンテナパネルのうちのどの単数又は複数のパネルが、追加的又は代替的に選択されるかは、前記ワイヤレストランシーバが形成されているワイヤレスネットワークを特徴付けるサービス品質（ＱｏＳ）パラメータに依存する。
【請求項６３】
請求項６２のワイヤレストランシーバであって、前記サービス品質（ＱｏＳ）パラメータは、前記ソースパケットに含まれている。
【請求項６４】
請求項６２のワイヤレストランシーバであって、前記ＱｏＳパラメータは、前記ワイヤレスネットワークにおけるワイヤレスリンクのリンク品質、前記複数の目的地レシーバの１つの目的地レシーバへのホップの数、前記ワイヤレストランシーバによって送信されるデータのタイプ、前記ワイヤレストランシーバから要求されるデータのタイプ、前記ワイヤレスネットワークにおけるトラフィック負荷状態、及び前記ワイヤレストランシーバからデータを要求するアプリケーションのタイプから成るグループから選択されるパラメータである。
【請求項６５】
請求項５９のワイヤレストランシーバであって、更に、前記目的地パケットとともに、サービス品質（ＱｏＳ）情報を含ませるように構成された制御インターフェースを有し、前記ＱｏＳ情報は、前記ワイヤレストランシーバが形成されているワイヤレスネットワークにおける通信の作動能力又は優先順位を特徴付ける。
【請求項６６】
請求項５９のワイヤレストランシーバであって、更に、前記遠隔ワイヤレストランスミッタに対する前記ワイヤレストランシーバの位置を決定するための手段を有する。
【請求項６７】
請求項５９のワイヤレストランシーバであって、前記アンテナアレイは、ＴＤＤ（時分割複信）通信ネットワークにおいてパケット-スイッチト信号を送信及び受信するように構成されている。
【請求項６８】
請求項５９のワイヤレストランシーバであって、前記アンテナアレイは、搬送波感知多重アクセス（ＣＳＭＡ）ネットワークにおいてパケット-スイッチト信号を送信及び受信するように構成されている。
【請求項６９】
請求項５９のワイヤレストランシーバであって、前記アンテナアレイは、ポリゴン状に配置されている。
【請求項７０】
ワイヤレスレシーバであって以下を有する、
ワイヤレストランスミッタからパケットスイッチト信号を受信するように構成された複数のアンテナパネルを備えるアンテナアレイ、そして
前記複数のアンテナパネルの二つ以上のパネルによって受信された前記パケットスイッチト信号の測定信号強度を比較することによって前記アンテナアレイから前記ワイヤレストランスミッタへの方向を決定するための手段。
【請求項７１】
請求項７０のワイヤレスレシーバであって、前記アンテナから前記ワイヤレストランスミッタへの前記方向を決定するための前記手段は、前記複数のアンテナパネルのうちのどのパネルが最も高い信号強度を受信するかの決定を含む。
【請求項７２】
請求項７０のワイヤレストランシーバであって、前記複数のアンテナパネルは、ポリゴン状に配置されている。
【請求項７３】
請求項７０のワイヤレスレシーバであって、更に、前記ワイヤレストランスミッタに対する前記ワイヤレストランシーバの位置を決定するための手段を含む。
【請求項７４】
請求項７０のワイヤレスレシーバであって、前記ワイヤレスレシーバは、ＴＤＤ（時分割複信）通信ネットワークにおいてパケット-スイッチト信号を送信及び受信するように構成されている。
【請求項７５】
請求項７０のワイヤレストランシーバであって、前記ワイヤレスレシーバは、搬送波感知多重アクセス（ＣＳＭＡ）ネットワークにおいてパケット-スイッチト信号を送信及び受信するように構成されている。